(57)【要約】【課題】Ｔシャツ等の衣類の首部が無理に押し広げられて該首部が伸びてしまうおそれがないだけでなく、該衣類の首部に対する挿脱が極めて容易である衣類用ハンガーを提供する。【解決手段】フック１と左右一対のアーム３、５とを備え、各アームは該アームの基部３ａ、５ａを回動中心として開閉する方向に回動自在である衣類用ハンガーにおいて、前記フックは、左右方向の回動軸を回動中心として前後方向に回動自在であり、前記アームは左右方向に開いた状態と上方に閉じた状態との範囲内でのみ回動自在であることを特徴とする衣類用ハンガー。【選択図】図１
2009039241.tif 000002
【特許請求の範囲】
【請求項１】
フックと左右一対のアームとを備え、各アームは該アームの基部を回動中心として開閉する方向に回動自在である衣類用ハンガーにおいて、
前記フックは、左右方向の回動軸を回動中心として前後方向に回動自在であり、
前記アームは左右方向に開いた状態と上方に閉じた状態との範囲内でのみ回動自在であることを特徴とする衣類用ハンガー。
【請求項２】
フックと左右一対のアームとを備え、各アームは該アームの基部を回動中心として開閉する方向に回動自在である衣類用ハンガーにおいて、
前記フックは、左右方向の回動軸を回動中心として前後方向に回動自在であり、
該フックが直立状態を含む一定の第一角度範囲内にあるときには、前記アームは左右方向に開いた状態と上方に閉じた状態との範囲内でのみ回動自在であり、
該フックが前記第一角度範囲を超えて回動したときには、前記アームは、左右方向に開いた状態と上方に閉じた状態との範囲内で回動自在であるのみならず、左右方向に開いた状態から更に下方にも回動自在であることを特徴とする衣類用ハンガー。
【請求項３】
前記フックが前記第一角度範囲を超えて回動したときには、該アームが該アームに吊り下げられているＴシャツ等の衣類の重みにより下方に回動して該衣類を衣類用ハンガーから落下させるようにしたことを特徴とする請求項２に記載の衣類用ハンガー。
【請求項４】
前記フックの基部における下端に切欠部を形成し、
該フックが前記第一角度範囲内にあり、かつ、前記アームが左右方向に開いているときには、該アームの基端がフックの基部における該切欠部に係止することにより、該アームが左右方向に開いた状態から下方に回動することが防止されると共に該アームが該フックの回動時に該フックと一体的に傾動し、この状態から該フックが当該第一角度範囲を超えて回動したときには、該アームの基端がフックの基部における切欠部から脱出し、該アームがフックから独立して回動自在となるようにしたことを特徴とする請求項２又は３に記載の衣類用ハンガー。
【請求項５】
前記各アームは、前記回動軸の各端に備えさせた支軸を回動中心として回動自在であることを特徴とする請求項１〜４のいずれかに記載の衣類用ハンガー。
【請求項６】
前記フックは、一定の第二角度範囲内でのみ回動自在であることを特徴とする請求項１〜５のいずれかに記載の衣類用ハンガー。
【請求項７】
前記第二角度範囲は、前方９０度と後方９０度とよりなる１８０度の角度範囲であることを特徴とする請求項６に記載の衣類用ハンガー。
【請求項８】
前記アームが上方に閉じたときに、該アームに形成された段部をそれぞれ前記フックの基部おける対応上端に押圧させるように該アームを挟持することにより、該フックの回動を防止するようにしたことを特徴とする請求項１〜７のいずれかに記載の衣類用ハンガー。
【発明の詳細な説明】
【技術分野】
【０００１】
本発明は、衣類用ハンガーに関するものであり、特に、Ｔシャツ、セーター等の如く首部が開口しているが、前部が閉塞している衣類（このような衣類を以下「Ｔシャツ等の衣類」という。）を吊り下げるための衣類用ハンガーに係るものである。なお、本発明による衣類用ハンガーは、洗濯物を干すためのハンガーのみならず、タンス、衣類入れ等の衣類収納スペース内その他の場所に衣類を吊り下げるためのハンガーをも含むものとする。
【背景技術】
【０００２】
Ｔシャツ等の衣類をハンガーにより吊り下げる場合、ハンガーを該衣類の首部に対し挿脱する際に、該首部が無理に押し広げられ、該首部が伸びてしまうという問題がしばしば生じている。
【０００３】
このような問題を解決するための一手段として、特許第３５５７３７５号公報は、衣類用ハンガー（以下「従来の衣類用ハンガー」という。）を開示している。
【０００４】
上記従来の衣類用ハンガーは、フックと左右一対のアームとを備え、当該一対のアームはヒンジ部を介して折畳み可能に連結され、該ヒンジ部は当該一対のアームの接合部に形成された立ち上がり部に設けられ、該ヒンジ部のヒンジ軸をフックの垂直軸部に対して傾斜させたことを特徴とするものである。
【特許文献１】特許第３５５７３７５号公報
【発明の開示】
【発明が解決しようとする課題】
【０００５】
上記従来の衣類用ハンガーにおいては、左右一対のアームがヒンジ部を介して折畳み可能に連結されているため、これらのアームを相互に略平行に折り畳んだ状態で衣類の首部に挿脱することができる。従って、Ｔシャツ等の衣類をハンガーにより吊り下げる場合に、該衣類の首部が無理に押し広げられ、該首部が伸びてしまうという問題は一応解消するように思われる。
【０００６】
しかしながら、上記従来の衣類用ハンガーにおけるフックは、左右方向の回動軸を回動中心として前後方向に回動するようには構成されていない。したがって、左右一対のアームを相互に略平行に折り畳んだ状態でＴシャツ等の衣類の首部に挿入するに当り、予めフックの突出方向に関する衣類用ハンガーの姿勢（表裏の方向）に注意する必要がある。
【０００７】
本出願において、「左右方向」とは、一対のアームを略水平方向に開いたときにおける該アームの長さ方向をいい、「前後方向」とは、左右方向と直角の方向をいうものとする。
【０００８】
また、上記従来の衣類用ハンガーにおいては、ヒンジ部のヒンジ軸をフックの垂直軸部に対して傾斜させているため、左右一対のアームを相互に略平行に折り畳んだ状態でＴシャツ等の衣類の首部に挿入した後、該アームをＴシャツ等の衣類内で開く作業が容易ではない。
【０００９】
更に、上記従来の衣類用ハンガーにおいては、ヒンジ部のヒンジ軸をフックの垂直軸部に対して傾斜させているため、開いたアームによりＴシャツ等の衣類を吊り下げた状態から衣類用ハンガーを該Ｔシャツ等の衣類から抜き取る作業が面倒である。すなわち、Ｔシャツ等の衣類内で開いている一対のアームを閉じる作業が容易ではない。
【００１０】
本発明は、上記従来の衣類用ハンガーにおける上述の如き問題を解消し、Ｔシャツ等の衣類の首部が無理に押し広げられて該首部が伸びてしまうおそれがないだけでなく、該衣類の首部に対する挿脱が極めて容易である衣類用ハンガーを提供しようとしてなされたものである。
【課題を解決するための手段】
【００１１】
上記課題を解決するために、本発明は、下記の衣類用ハンガーを提供する。
【００１２】
（１）フックと左右一対のアームとを備え、各アームは該アームの基部を回動中心として開閉する方向に回動自在である衣類用ハンガーにおいて、
前記フックは、左右方向の回動軸を回動中心として前後方向に回動自在であり、
前記アームは左右方向に開いた状態と上方に閉じた状態との範囲内でのみ回動自在であることを特徴とする衣類用ハンガー（請求項１）。
【００１３】
（２）フックと左右一対のアームとを備え、各アームは該アームの基部を回動中心として開閉する方向に回動自在である衣類用ハンガーにおいて、
前記フックは、左右方向の回動軸を回動中心として前後方向に回動自在であり、
該フックが直立状態を含む一定の第一角度範囲内にあるときには、前記アームは左右方向に開いた状態と上方に閉じた状態との範囲内でのみ回動自在であり、
該フックが前記第一角度範囲を超えて回動したときには、前記アームは、左右方向に開いた状態と上方に閉じた状態との範囲内で回動自在であるのみならず、左右方向に開いた状態から更に下方にも回動自在であることを特徴とする衣類用ハンガー（請求項２）。
【００１４】
（３）前記フックが前記第一角度範囲を超えて回動したときには、該アームが該アームに吊り下げられているＴシャツ等の衣類の重みにより下方に回動して該衣類を衣類用ハンガーから落下させるようになす（請求項３）。
【００１５】
（４）前記フックの基部における下端に切欠部を形成し、
該フックが前記第一角度範囲内にあり、かつ、前記アームが左右方向に開いているときには、該アームの基端がフックの基部における該切欠部に係止することにより、該アームが左右方向に開いた状態から下方に回動することが防止されると共に該アームが該フックの回動時に該フックと一体的に傾動し、この状態から該フックが当該第一角度範囲を超えて回動したときには、該アームの基端がフックの基部における切欠部から脱出し、該アームがフックから独立して回動自在となるようになす（請求項４）。
【００１６】
（５）前記各アームは、前記回動軸の各端に備えさせた支軸を回動中心として回動自在である（請求項５）。
【００１７】
（６）前記フックは、一定の第二角度範囲内でのみ回動自在である（請求項６）。
【００１８】
（７）前記第二角度範囲は、前方９０度と後方９０度とよりなる１８０度の角度範囲である（請求項７）。
【００１９】
（８）前記アームが上方に閉じたときに、該アームに形成された段部をそれぞれ前記フックの基部おける対応上端に押圧させるように該アームを挟持することにより、該フックの回動を防止する（請求項８）。
【発明の効果】
【００２０】
［請求項１の発明］
アームは左右方向に開いた状態と上方に閉じた状態との範囲内でのみ回動自在であるため、アームを左右方向に開いた状態でＴシャツ等の衣類を吊り下げたときには、アームは左右方向に開いた状態から更に下方に回動することがない。したがって、アームを左右方向に開いた状態でＴシャツ等の衣類を確実に吊り下げることができる。図２０参照。
【００２１】
アームを回動させて閉じた状態でＴシャツ等の衣類の首部に挿脱することができる。したがって、Ｔシャツ等の衣類の首部が無理に押し広げられて該首部が伸びてしまうおそれがない。
【００２２】
フックは左右方向の回動軸を回動中心として前後方向に回動自在であるため、左右一対のアームを回動させて閉じた状態でＴシャツ等の衣類の首部に挿入する際に、フックを適宜前後方向に回動させることができる。したがって、アームをＴシャツ等の衣類の首部に挿入する際に、フックの突出方向に関する衣類用ハンガーの姿勢（表裏の方向）に注意する必要がない。図１８参照。
【００２３】
左右一対のアームを閉じた状態でＴシャツ等の衣類の首部に挿入して該アームの先端を衣類の袖に臨ませ、該アームを基部が下方になり、先端が上方になるように垂直に位置させたときには、該アームはＴシャツ等の衣類の重みにより左右方向に開く。換言すれば、アームを手で押し広げる必要がない。図１９参照。したがって、Ｔシャツ等の衣類の首部が無理に押し広げられて該首部が伸びてしまうおそれが全くない。
【００２４】
アームを左右方向に開いてＴシャツ等の衣類を吊り下げた状態から、衣類用ハンガーを上下反転させたときには、アームはＴシャツ等の衣類の重みにより下方に回動して閉じ、Ｔシャツ等の衣類はアームから下方に落下する。換言すれば、Ｔシャツ等の衣類をアームから手で引き抜く必要がない。図２１参照。したがって、Ｔシャツ等の衣類の首部が無理に押し広げられて該首部が伸びてしまうおそれが全くない。このときも、フックは左右方向の回動軸を回動中心として前後方向に回動自在であるため、フックの突出方向に関する衣類用ハンガーの姿勢（表裏の方向）に注意する必要がない。
【００２５】
［請求項２、３の発明］
アームを左右方向に開いてＴシャツ等の衣類を吊り下げた状態から、フックを第一角度範囲を超えて回動させたときには、該アームは左右方向に開いた状態から更に下方にも回動自在となるため、該アームが該アームに吊り下げられているＴシャツ等の衣類の重みにより下方に回動して該衣類を衣類用ハンガーから落下させる。この場合、Ｔシャツ等の衣類をアームから手で引き抜く必要がないだけでなく、衣類用ハンガーを上下反転させる必要もない。したがって、Ｔシャツ等の衣類を衣類用ハンガーから取り外す作業は一層容易である。図２１参照。その結果、Ｔシャツ等の衣類の首部が無理に押し広げられて該首部が伸びてしまうおそれが全くない。このときも、フックは左右方向の回動軸を回動中心として前後方向に回動自在であるため、フックの突出方向に関する衣類用ハンガーの姿勢（表裏の方向）に注意する必要がない。
【００２６】
［請求項４の発明］
アームを左右方向に開いてＴシャツ等の衣類を吊り下げた状態から、フックを回動させた場合には、フックが第一角度範囲内にある間はアームもフックと共に傾動し、フックが当該第一角度範囲を超したときに初めてアームがＴシャツ等の衣類の重みにより下方に回動し、該衣類がアームから落下する。したがって、Ｔシャツ等の衣類を衣類用ハンガーから取り外す作業はより一層容易である。
【００２７】
［請求項５の発明］
各アームは、回動軸の各端に備えさせた支軸を回動中心として、相互に独立して各別に円滑に回動する。また、各アームの支軸は回動軸の各端に備えられているため、一方のアームの支軸（基部）と他方のアームの支軸（基部）とが回動軸の長さ分だけ相互に離れた位置にある。したがって、左右一対のアームを閉じたときでも、フックは両アーム間を前後方向に回動することができる。
【００２８】
［請求項６の発明］
フックは、一定の第二角度範囲内でのみ回動自在であるため、フックが当該第二角度範囲の端にあるときには、フックはそれ以上回動しない。したがって、フックを当該第二角度範囲の端にある位置で把持することにより、アームに所望の動作を容易に行なわせることができる。図１８、図１９、図２１参照。
【００２９】
［請求項７の発明］
フックは、前後方向にそれぞれ９０度の第二角度範囲内でのみ回動自在であるため、フックを当該第二角度範囲の端にある位置で把持することにより、アームに所望の動作を一層容易に行なわせることができる。
【００３０】
［請求項８の発明］
アームが上方に閉じたときに、該アームに形成された段部をそれぞれフックの基部おける対応上端に押圧させるように該アームを手で挟持することにより、該フックの回動を防止することができるため、アームを閉じた状態で該アームをＴシャツ等の衣類の首部に挿入する際に好都合である。
【発明を実施するための最良の形態】
【００３１】
本発明による衣類用ハンガーは、前記従来の衣類用ハンガーと同様に、フック１と左右一対のアーム３、５とを備え、各アーム３、５は該アーム３、５の基部３ａ、５ａを回動中心として開閉する方向に回動自在である。符号６に示すものは、各アーム３、５に形成された透孔である。
【００３２】
しかして、本発明においては、フック１は、左右方向の回動軸７を回動中心として前後方向に回動自在である。
【００３３】
アーム３、５は、左右方向に開いた状態と上方に閉じた状態との範囲内でのみ回動自在である。図１参照。
【００３４】
すなわち、アーム３、５が左右方向に開いたときには、アーム３、５の基端３ｂ、５ｂがそれぞれフック１の基部１２における下端に形成された切欠部１０、１４の奥壁部９、１１に当接することにより、アーム３、５の更なる開きが阻止される。図５参照。
【００３５】
アーム３、５が上方に閉じたときには、アーム３、５に形成された段部３ｃ、５ｃがそれぞれフック１の基部１２おける対応上端１３、１５に当接することにより、アーム３、５の更なる閉じが阻止される。図２、図４、図５参照。
【００３６】
また、アーム３、５が上方に閉じたときに、アーム３、５に形成された段部３ｃ、５ｃをそれぞれフック１の基部１２おける対応上端１３、１５に押圧させるようにアーム３、５を手で挟持することにより、フック１が回動することを防止することができる。
【００３７】
各アーム３、５は、前記回動軸７の各端に備えさせた水平方向の支軸１７、１９を回動中心として回動自在である。
【００３８】
本発明による好ましい実施例においては、フック１が直立状態を含む一定の第一角度範囲内にあるときには、アーム３、５は左右方向に開いた状態と上方に閉じた状態との範囲内でのみ回動自在であり、フック１が当該第一角度範囲を超えて回動したときには、アーム３、５は、左右方向に開いた状態と上方に閉じた状態との範囲内で回動自在であるのみならず、左右方向に開いた状態から更に下方にも回動自在である。
【００３９】
前記一定の第一角度範囲は、例えば、前方２０〜４０度と後方２０〜４０度とよりなる４０〜８０度とするが、当該第一角度範囲はこれに限定されるものではない。図２１における鎖線で示すフック１は、前方の第一角度範囲の端に位置する。
【００４０】
フック１が第一角度範囲を超えて回動したときには、アーム３、５が該アーム３、５に吊り下げられているＴシャツ等の衣類３１の重みにより下方に回動して該衣類３１を衣類用ハンガーから落下させる。
【００４１】
すなわち、一例として、フック１の基部１２における下端に切欠部１０、１４を形成し、フック１が第一角度範囲内にあり、かつ、アーム３、５が左右方向に開いているときには、アーム３、５の基端３ｂ、５ｂがフック１の基部１２における切欠部１０、１４に係止することにより、アーム３、５が左右方向に開いた状態から下方に回動することが防止されると共にアーム３、５がフック１の回動時に該フック１と一体的に傾動し、この状態からフック１が当該第一角度範囲を超えて回動したときには、アーム３、５の基端３ｂ、５ｂがフック１の基部１２における切欠部１０、１４から脱出し、アーム３、５がフック１から独立して回動自在となる。図１４、図１５参照。
【００４２】
フック１は、一定の第二角度範囲内でのみ回動自在である。
【００４３】
当該第二角度範囲は、好ましくは、前方９０度と後方９０度とよりなる１８０度の角度範囲である。
【００４４】
すなわち、一例として、回動軸７の周縁に凸部２１を備えさせ、フック１の基部１２には該凸部２１に当接する当接部２３、２５を備えさせ、以てフック１が前後方向にそれぞれ９０度の角度範囲内でのみ回動自在となす。符号２７に示すものは、フック１の基部１２に形成された回動軸７用の透孔であり、符号２９に示すものはキー溝である。
【００４５】
左右一対のアーム３、５は、閉じたときに該アーム３、５の基部３ａ、５ａ間の間隔よりも該アーム３、５の先端３ｄ、５ｄ間の間隔の方が大きくなるようになす。図２参照。したがって、左右一対のアーム３、５を閉じた状態でＴシャツ等の衣類３１の首部３３に挿入して該アーム３、５の先端３ｄ、５ｄを衣類３１の袖３５に臨ませ、該アーム３、５を基部３ａ、５ａが下方になり、先端３ｄ、５ｄが上方になるように垂直に位置させたときには、該アーム３、５はＴシャツ等の衣類３１の重みにより左右方向に一層確実に開く。図１９参照。
【図面の簡単な説明】
【００４６】
【図１】衣類用ハンガーの一例を示す正面図である。
【図２】一対のアームを閉じると共にフックを回動させた状態の衣類用ハンガーを示す正面図である。
【図３】同上の側面図である。
【図４】図２のＩＶ部を示す拡大図である。
【図５】アームとフックとを示す断面図である。
【図６】回動軸の平面図である。
【図７】回動軸の正面図である。
【図８】図７のＶＩＩＩ−ＶＩＩＩ線における断面図である。
【図９】図７のＩＸ−ＩＸ線における断面図である。
【図１０】回動軸の側面図である。
【図１１】アームとフックとを示す側面図である。
【図１２】フックの基部を示す断面図である。
【図１３】同上の別の断面図である。
【図１４】同上の底面図である。
【図１５】フックの基部とアームとを示す斜視図である。
【図１６】フックの透孔と回動軸とを概略的に示す側面図である。
【図１７】フックの透孔と回動軸とを概略的に示す別の側面図である。
【図１８】衣類用ハンガーの使用状態を概略的に示す説明図である。
【図１９】衣類用ハンガーの使用状態を概略的に示す別の説明図である。
【図２０】衣類用ハンガーの使用状態を概略的に示す更に別の説明図である。
【図２１】衣類用ハンガーの使用状態を概略的に示す更に別の説明図である。
【符号の説明】
【００４７】
１  フック
３  アーム
３ａ  基部
３ｂ  基端
３ｃ  段部
３ｄ  先端
５  アーム
５ａ  基部
５ｂ  基端
５ｃ  段部
５ｄ  先端
６  透孔
７  回動軸
９  奥壁部
１０  切欠部
１１  奥壁部
１２  基部
１３  対応上端
１４  切欠部
１５  対応上端
１７  支軸
１９  支軸
２１  凸部
２３  当接部
２５  当接部
２７  透孔
２９  キー溝
３１  Ｔシャツ等の衣類
３３  首部
３５  袖
【図１】
2009039241.tif 000003
【図２】
2009039241.tif 000004
【図３】
2009039241.tif 000005
【図４】
2009039241.tif 000006
【図５】
2009039241.tif 000007
【図６】
2009039241.tif 000008
【図７】
2009039241.tif 000009
【図８】
2009039241.tif 000010
【図９】
2009039241.tif 000011
【図１０】
2009039241.tif 000012
【図１１】
2009039241.tif 000013
【図１２】
2009039241.tif 000014
【図１３】
2009039241.tif 000015
【図１４】
2009039241.tif 000016
【図１５】
2009039241.tif 000017
【図１６】
2009039241.tif 000018
【図１７】
2009039241.tif 000019
【図１８】
2009039241.tif 000020
【図１９】
2009039241.tif 000021
【図２０】
2009039241.tif 000022
【図２１】
2009039241.tif 000023